(57)【要約】【課題】  ＰＷＭ調光方式による調光回路の制御に際して鳴き音が発生する。【解決手段】  動画とともに音声を記録する動画撮影モードが設定されているとき、ＰＷＭ調光方式または電圧調光方式の少なくとも一方の調光方式によりバックライト１５の輝度を変更させる調光回路１４に対し、ＰＷＭ調光方式によりバックライト１５の輝度を変更することを禁止させる。これにより、動画撮影処理において、ＰＷＭ調光方式による調光回路の制御を要因とする鳴き音を再現する音声データまでもが記録されてしまう事態を回避できる。【選択図】      図５
2010141459.tif 000002
【特許請求の範囲】
【請求項１】
被写体の光像を光電変換して画像データを生成する撮影手段と、
入力された音声を再現する音声データを生成する音声処理手段と、
前記撮影手段により生成された画像データにより表現される画像を表示する表示画面と、
前記表示画面を照射する光源と、
ＰＷＭ調光方式または電圧調光方式の少なくとも一方の調光方式により前記光源の輝度を調整する調光手段と、
前記音声処理手段により生成された音声データを記録する第１の動作モードを設定する第１の設定手段と、
前記音声処理手段により生成された音声データを記録しない第２の動作モードを設定する第２の設定手段と、
前記第１の動作モードが設定されているとき、前記調光手段に、前記ＰＷＭ調光方式により前記光源の輝度を調整することを禁止させる第１の調光制御手段と、
前記第２の動作モードが設定されているとき、前記調光手段に、前記ＰＷＭ調光方式または前記電圧調光方式の少なくとも一方の調光方式により前記光源の輝度を調整させる第２の調光制御手段と、
を備えることを特徴とする撮影装置。
【請求項２】
前記第１の動作モードが設定されているとき、前記撮影手段により生成された画像データと、前記音声処理手段により生成された音声データとを対応させた動画データを記録媒体に記録させる第１の記録制御手段と、
前記第２の動作モードが設定されているとき、撮影指示に応答して、前記撮影手段により生成された画像データのみを前記記録媒体に記録させる第２の記録制御手段と、
を備えることを特徴とする請求項１記載の撮影装置。
【請求項３】
撮影シーンを選択する撮影シーン選択手段と、
前記撮影シーン選択手段により選択された撮影シーンに対応する撮影条件を設定する撮影条件設定手段と、
前記撮影シーン選択手段により選択された撮影シーンが、夜景を撮影することを目的とした夜景シーンであるか否かを判断する判断手段と、を備え、
前記第１の調光制御手段は、前記判断手段により前記撮影シーン選択手段により選択された撮影シーンが前記夜景シーンであると判断された場合、前記調光手段に、前記光源の輝度が低下するように前記光源の輝度を調整させ、
前記第２の調光制御手段は、前記判断手段により前記撮影シーン選択手段により選択された撮影シーンが前記夜景シーンであると判断された場合、前記調光手段に、前記光源の輝度が低下するように前記光源の輝度を調整させる
ことを特徴とする請求項２記載の撮影装置。
【請求項４】
前記第２の調光制御手段は、前記第２の動作モードが設定されているとき、前記調光手段に、前記ＰＷＭ調光方式と前記電圧調光方式とを併用した調光方式により前記光源の輝度を調整させる
ことを特徴とする請求項１から３いずれか１項に記載の撮影装置。
【請求項５】
表示画面を照射する光源と、
ＰＷＭ調光方式または電圧調光方式の少なくとも一方の調光方式により前記光源の輝度を調整する調光手段と、
音声を再現するための音声データを記録する第１の動作モードを設定する第１の設定手段と、
音声を再現するための音声データを記録しない第２の動作モードを設定する第２の設定手段と、
前記第１の動作モードが設定されているとき、前記調光手段に、前記ＰＷＭ調光方式により前記光源の輝度を調整することを禁止させる第１の調光制御手段と、
前記第２の動作モードが設定されているとき、前記調光手段に、前記ＰＷＭ調光方式または前記電圧調光方式の少なくとも一方の調光方式により前記光源の輝度を調整させる第２の調光制御手段と、
を備えることを特徴とする調光装置。
【請求項６】
被写体の光像を光電変換して画像データを生成する撮影手段と、入力された音声を再現する音声データを生成する音声処理手段と、前記撮影手段により生成された画像データにより表現される画像を表示する表示画面と、前記表示画面を照射する光源と、ＰＷＭ調光方式または電圧調光方式の少なくとも一方の調光方式により前記光源の輝度を調整する調光手段と、を備えるコンピュータを、
前記音声処理手段により生成された音声データを記録する第１の動作モードを設定する第１の設定手段、
前記音声処理手段により生成された音声データを記録しない第２の動作モードを設定する第２の設定手段、
前記第１の動作モードが設定されているとき、前記調光手段に、前記ＰＷＭ調光方式により前記光源の輝度を調整することを禁止させる第１の調光制御手段、
前記第２の動作モードが設定されているとき、前記調光手段に、前記ＰＷＭ調光方式または前記電圧調光方式の少なくとも一方の調光方式により前記光源の輝度を調整させる第２の調光制御手段、
として機能させるプログラム。
【請求項７】
表示画面を照射する光源と、ＰＷＭ調光方式または電圧調光方式の少なくとも一方の調光方式により前記光源の輝度を変更させる調光手段と、を備えるコンピュータを、
音声を再現するための音声データを記録する第１の動作モードを設定する第１の設定手段、
音声を再現するための音声データを記録しない第２の動作モードを設定する第２の設定手段、
前記第１の動作モードが設定されているとき、前記調光手段に、前記ＰＷＭ調光方式により前記光源の輝度を調整することを禁止させる第１の調光制御手段、
前記第２の動作モードが設定されているとき、前記調光手段に、前記ＰＷＭ調光方式または前記電圧調光方式の少なくとも一方の調光方式により前記光源の輝度を調整させる第２の調光制御手段、
として機能させるプログラム。
【発明の詳細な説明】
【技術分野】
【０００１】
本発明は、表示画面の光源の輝度を調整する調光装置に関し、特に、デジタルカメラの表示画面の光源の輝度を調整する調光装置に好適な技術に関するものである。
【背景技術】
【０００２】
一般に、液晶ディスプレイ等の表示画面を用いた映像機器は、放電灯を用いるバックライトの点灯により表示画面に画像を表示させている。バックライトの輝度は、バックライトに接続される調光回路により調整される。バックライトの輝度を調整する調光方式としては、ＰＷＭ（Pulse Width Modulation）信号により調光回路の発振／停止を制御するＰＷＭ調光方式と、調光回路の出力電圧を変化させて放電灯に流れる出力電流を変化させる電圧調光方式とがある。
【０００３】
これらの調光方式に関する技術として、特許文献１に、ＰＷＭ調光方式と電圧調光方式とを併用した調光方式により調光回路を制御することにより、ＰＷＭ信号のデューティの値が最大のときに電圧調光信号の値を最大とし、ＰＷＭ信号のデューティの値が最小のときに電圧調光信号の値を最小とする技術が提案されている。特許文献１記載の技術によれば、バックライトの最高輝度を高く維持しつつ、かつバックライトの最低輝度をより低くすることができる。
【特許文献１】特開２０００−２８６０９０号公報
【発明の開示】
【発明が解決しようとする課題】
【０００４】
ところで、ＰＷＭ調光方式による調光回路の制御に際しては、調光回路からの鳴り音が発生するという欠点がある。この鳴り音は、調光回路に含まれるコンデンサ等から発生する。そのため、特許文献１記載の技術においても、ＰＷＭ調光方式による調光回路の制御に際して鳴り音が発生するという問題があった。
【０００５】
そこで、本発明は、ＰＷＭ調光方式による調光回路の制御に際して発生する鳴り音の悪影響を抑えることを目的とする。
【課題を解決するための手段】
【０００６】
前記目的を達成するため、本発明の第１の態様は、
被写体の光像を光電変換して画像データを生成する撮影手段と、
入力された音声を再現する音声データを生成する音声処理手段と、
前記撮影手段により生成された画像データにより表現される画像を表示する表示画面と、
前記表示画面を照射する光源と、
ＰＷＭ調光方式または電圧調光方式の少なくとも一方の調光方式により前記光源の輝度を変更させる調光手段と、
前記音声処理手段により生成された音声データを記録する第１の動作モードを設定する第１の設定手段と、
前記音声処理手段により生成された音声データを記録しない第２の動作モードを設定する第２の設定手段と、
前記第１の動作モードが設定されているとき、前記調光手段に、前記ＰＷＭ調光方式により前記光源の輝度を変更することを禁止させる第１の調光制御手段と、
前記第２の動作モードが設定されているとき、前記調光手段に、前記ＰＷＭ調光方式または前記電圧調光方式の少なくとも一方の調光方式により前記光源の輝度を変更させる第２の調光制御手段と、
を備えるものとした。
【０００７】
また、本発明の第２の態様は、
表示画面を照射する光源と、
ＰＷＭ調光方式または電圧調光方式の少なくとも一方の調光方式により前記光源の輝度を調整する調光手段と、
音声を再現するための音声データを記録する第１の動作モードを設定する第１の設定手段と、
音声を再現するための音声データを記録しない第２の動作モードを設定する第２の設定手段と、
前記第１の動作モードが設定されているとき、前記調光手段に、前記ＰＷＭ調光方式により前記光源の輝度を調整することを禁止させる第１の調光制御手段と、
前記第２の動作モードが設定されているとき、前記調光手段に、前記ＰＷＭ調光方式または前記電圧調光方式の少なくとも一方の調光方式により前記光源の輝度を調整させる第２の調光制御手段と、
を備えるものとした。
【０００８】
また、本発明の第３の態様は、
被写体の光像を光電変換して画像データを生成する撮影手段と、入力された音声を再現する音声データを生成する音声処理手段と、前記撮影手段により生成された画像データにより表現される画像を表示する表示画面と、前記表示画面を照射する光源と、ＰＷＭ調光方式または電圧調光方式の少なくとも一方の調光方式により前記光源の輝度を調整する調光手段と、を備えるコンピュータを、
前記音声処理手段により生成された音声データを記録する第１の動作モードを設定する第１の設定手段、
前記音声処理手段により生成された音声データを記録しない第２の動作モードを設定する第２の設定手段、
前記第１の動作モードが設定されているとき、前記調光手段に、前記ＰＷＭ調光方式により前記光源の輝度を調整することを禁止させる第１の調光制御手段、
前記第２の動作モードが設定されているとき、前記調光手段に、前記ＰＷＭ調光方式または前記電圧調光方式の少なくとも一方の調光方式により前記光源の輝度を調整させる第２の調光制御手段、
として機能させるプログラムとした。
【０００９】
また、本発明の第４の態様は、
表示画面を照射する光源と、ＰＷＭ調光方式または電圧調光方式の少なくとも一方の調光方式により前記光源の輝度を調整する調光手段と、を備えるコンピュータを、
音声を再現するための音声データを記録する第１の動作モードを設定する第１の設定手段、
音声を再現するための音声データを記録しない第２の動作モードを設定する第２の設定手段、
前記第１の動作モードが設定されているとき、前記調光手段に、前記ＰＷＭ調光方式により前記光源の輝度を調整することを禁止させる第１の調光制御手段、
前記第２の動作モードが設定されているとき、前記調光手段に、前記ＰＷＭ調光方式または前記電圧調光方式の少なくとも一方の調光方式により前記光源の輝度を調整させる第２の調光制御手段、
として機能させるプログラムとした。
【発明の効果】
【００１０】
本発明においては、音声データを記録する第１の動作モードが設定されているとき、調光手段に、ＰＷＭ調光方式により前記光源の輝度を変更することを禁止させるようにしたので、ＰＷＭ調光方式による調光回路の制御に際して発生する鳴り音の悪影響を抑えることができる。
【発明を実施するための最良の形態】
【００１１】
以下、図面を参照して本発明の実施の形態を説明する。
【００１２】
＜デジタルカメラの構成＞
図１は、本実施の形態に係るデジタルカメラ１００の電気的構成を示すブロック図である。図１を参照して、デジタルカメラ１００の各部の説明をする。
【００１３】
デジタルカメラ１００においては、光学レンズ装置１と、絞り兼用シャッタ２と、ＣＣＤ３と、画像処理回路４と、ＣＰＵ５と、フラッシュメモリ６と、ＤＲＡＭ７と、メモリカード８と、キーブロック９と、音声処理回路１０と、電源回路１１と、ＬＣＤ駆動回路１２と、調光回路１４と、がシステムバス１７を介して電気的に接続されている。ＬＣＤ駆動回路１２には液晶ディスプレイ１３が接続されている。調光回路１４にはバックライト１５が接続されている。音声処理回路１０には音声マイク１６が接続されている。
【００１４】
光学レンズ装置１は、被写体の光像を結像するための装置である。光学レンズ装置１は、不図示のフォーカスレンズ及びズームレンズと、これら撮影レンズを駆動する不図示の駆動機構とで構成されている。この駆動機構は、フォーカスレンズ、ズームレンズをそれぞれ光軸方向に駆動させる不図示のフォーカスモータ、ズームモータと、フォーカスモータドライバ、ズームモータドライバとから構成されている。フォーカスモータドライバ、ズームモータドライバは、ＣＰＵ５から送られてくる制御信号に従ってそれぞれフォーカスモータ、ズームモータを駆動させることにより、フォーカスレンズ、ズームレンズを光軸方向に駆動させる。
【００１５】
絞り兼用シャッタ２は、機械式のシャッタとして機能する。絞り兼用シャッタ２は、図示しない駆動回路を含む。この駆動回路は、ＣＰＵ５から送られてくる制御信号に従って絞り兼用シャッタ２を開閉駆動させる。この絞り兼用シャッタ２は、絞り（ＣＣＤ３に入射される光の量を調整する機構）としても機能する。
【００１６】
ＣＣＤ３は、被写体の光像を撮影（光電変換）するための撮像素子である。ＣＣＤ３は、受光面に配置されたフォトダイオード（光電変換素子）により、光学レンズ装置１において受光面に結像された被写体の光像を光電変換して撮像信号を生成する。生成された撮像信号は、不図示のドライバによりＣＣＤ３から読み出されて、画像処理回路４へと転送される。
【００１７】
画像処理回路４は、撮像信号に対し各種画像処理を施すことにより画像データを生成するための回路である。画像処理回路４は、ＣＣＤ３から転送された撮像信号をサンプリングしてノイズを除去した後に、この撮像信号にＡ／Ｄ変換処理を施してデジタル信号を生成する。画像処理回路４は、このデジタル信号に対し輝度信号処理等の画像処理を行う。画像処理回路４は、輝度信号処理等が行われたデジタル信号に対して色分離等の色処理を行い、Ｙ（輝度信号），Ｃｂ（青色差信号），Ｃｒ（赤色差信号）でなる画像データを生成する。また、画像処理回路４は、画像データの圧縮処理や圧縮された画像データの伸長処理なども行う。
【００１８】
ＣＰＵ５は、デジタルカメラ１００の各部を制御するための制御回路である。ＣＰＵ５は、フラッシュメモリ６に格納されたプログラムとの協働で、ＤＲＡＭ７を作業用メモリとして動作する。
【００１９】
フラッシュメモリ６には、ＣＰＵ５によるデジタルカメラ１００のＡＦ制御やＡＥ制御等に必要なプログラムや、ＣＰＵ５が後述するフローチャートに示される処理を実行するためのプログラムが格納されている。
【００２０】
また、フラッシュメモリ６には、デジタルカメラ１００が有する撮影シーン選択機能を実現するために使用されるデータが記憶されている。撮影シーン選択機能は公知の機能である。撮影シーン選択機能は、撮影に先立ち、サンプル画像によって示される複数の撮影シーンの中からユーザにより選択された撮影シーンに対応する各撮影条件（シャッタ速度やＩＳＯ感度など）を自動的に設定する機能である。撮影シーンは予め複数のものが用意されており、それぞれの撮影シーンは用いられる目的が異なる。また、各撮影シーンには固有のシーン番号が付与されている。
【００２１】
例えば、撮影シーンとして「夜景」シーンが選択されると、シャッタ速度が遅め、ＩＳＯ感度が高めに自動的に設定される。これにより、ユーザは夜景を撮影する場合に、「夜景」シーンを選択するだけで容易に適正露出を確保できる。このように、「夜景」シーンとは、夜景など暗い場所において適正露出を確保して撮影することを目的とした撮影シーンである。
【００２２】
ＤＲＡＭ７は、画像処理回路４により生成される画像データや、後述する音声処理回路１０により生成される音声データを、一時的に格納するバッファメモリとして使用される。ＤＲＡＭ７は、ＣＰＵ５が各処理を実行するに際して作業用メモリとしても使用される。
【００２３】
メモリカード８は、後述する静止画撮影処理にて生成された静止画データや、後述する動画撮影処理にて生成された動画データが記録される記録媒体である。メモリカード８は、デジタルカメラ１００の本体に対して着脱可能に装着されている。
【００２４】
キーブロック９は、不図示のシャッタキー、電源キー、ＳＥＴキー、十字キー、静止画撮影モード設定キー、動画撮影モード設定キー、撮影シーン設定キー等から構成される。キーブロック９は、ユーザによる各キーの操作を受付け、受け付けた操作に応じた信号をＣＰＵ５へと送る。シャッタキーは、ピント合わせのための半押し操作と、撮影（画像データ等の記録）のための全押し操作とを受け付けることが可能な構成である。
【００２５】
音声マイク１６はデジタルカメラ１００の周囲の音声を捉えて、捉えた音声を音声信号として音声処理回路１０に入力する。音声処理回路１０は、音声マイク１６から入力された音声信号を不図示のマイクアンプ回路により増幅し、この増幅されたアナログ音声信号にＡ／Ｄ変換処理等の各種信号処理を施すことにより音声データを生成する。
【００２６】
電源回路１１は、商用電源などの直流電源から各種電圧を生成して、デジタルカメラ１００の各部に対して電源電圧を供給する回路である。
【００２７】
ＬＣＤ駆動回路１２は、表示画面である液晶ディスプレイ１３の各表示セルを駆動することによって、画像処理回路４により生成された画像データにより表現される画像を液晶ディスプレイ１３上に表示させる。
【００２８】
調光回路１４は、電源回路１１から供給された電源電圧を基にして、バックライト１５に供給する電圧を調整することによりバックライト１５の輝度を調整する。
【００２９】
バックライト１５は、放電灯としての複数の発光ダイオードを有する。バックライト１５は、この複数の発光ダイオードの点灯により液晶ディスプレイ１３を背面から照射する光源の役割を果たす。
【００３０】
＜調光回路の構成＞ 
図２は、本実施の形態に係る調光回路１４の回路図である。図２を参照して、調光回路１４の詳細を説明する。
【００３１】
調光回路１４は、入力端子２１と、コンデンサ２２と、スイッチング素子２３と、コイル２４と、ダイオード２５と、出力端子２６と、抵抗器２７と、抵抗器２８と、基準電圧発生部２９と、誤差検出用オペアンプ３１と、発信器３２と、コンパレータ３３と、駆動回路３４と、抵抗器３６と、を備える。出力端子２６にはバックライト１５が接続されている。駆動回路３４にはＰＷＭ信号生成部３０が接続されている。オペアンプ３１の入力端子と抵抗器２８とを接続する導線には、抵抗器３６を介して電圧調光信号生成部３５が接続されている。
【００３２】
入力端子２１には電源回路１１からの入力電圧Ｖinが印加される。そして、この入力電圧Ｖinによる入力電流Ｉinがスイッチング素子２３に供給される。
【００３３】
スイッチング素子２３は、ベース端子に駆動回路３４からの信号が入力されているときのみオン状態（導通状態）となる。一方、スイッチング素子２３は、ベース端子に駆動回路３４からの信号が入力されていないときオフ状態（非導通状態）となる。これにより、スイッチング素子２３は、コイル２４に入力直流Ｉinを断続的に供給させる。
【００３４】
つまり、スイッチング素子２３がオン状態にあるときにのみ、入力直流Ｉinがコイル２４に供給される。このとき、コイル２４には供給された入力直流Ｉinによるエネルギーが蓄積される。一方、スイッチング素子２３がオフ状態にあるとき、コイル２４に蓄積されたエネルギーによる起電力で、出力電流Ｉoutがダイオード２５を介して出力端子２６に供給される。これにより、出力端子２６の入力側に出力電圧Ｖoutが印加される。
【００３５】
出力端子２６の入力側からは出力電流Ｉoutがバックライト１５に供給される。この出力電流Ｉoutがバックライト１５の各発光ダイオードに流れることにより、各発光ダイオードが発光してバックライト１５が点灯する。また、バックライト１５に出力電流Ｉoutが流れることによるバックライト１５での電圧降下により、出力端子２６のフィードバック側にかかる電圧は、出力電圧Ｖoutよりも小さい電圧Ｖsenとなる。
【００３６】
出力端子２６のフィードバック側にかかる電圧Ｖsenは、抵抗器２７と抵抗器２８とにより分圧される。抵抗器２８での電圧降下により、オペアンプ３１の入力端子にかかる電圧は、電圧Ｖsenよりも小さいフィードバック電圧Ｖｆｂとなる。
【００３７】
誤差検出用オペアンプ３１は、出力端子２６のフィードバック側からのフィードバック電圧Ｖfbと、基準電圧発生部２９が発生させる基準電圧Ｖrefとの差分を検出し、この差分を増幅した誤差検出信号Ｖerrを出力する。基準電圧Ｖrefは常時一定の値となっている。フィードバック電圧Ｖfbと基準電圧Ｖrefとの差分が大きいときには、誤差検出用オペアンプ３１から出力される誤差検出信号Ｖerrが大きくなる。一方、フィードバック電圧Ｖfbと基準電圧Ｖrefとの差分が小さいときには、誤差検出用オペアンプ３１から出力される誤差検出信号Ｖerrが小さくなる。
【００３８】
発信器３２は、可聴音領域外の周波数（例えば１００ｋＨｚ）で発振する高周波信号を生成し、生成された高周波信号をコンパレータ３３に出力する。
【００３９】
コンパレータ３３には、オペアンプ３１からの誤差検出信号Ｖerrと、発信器３２からの高周波信号とが入力される。コンパレータ３３は、発信器３２からの高周波信号がオペアンプ３１からの誤差検出信号Ｖerrよりも大きいときにのみ信号Ｖconを出力する。発信器３２からの高周波信号の値が周期的に変動することにより、発信器３２からの高周波信号とオペアンプ３１からの誤差検出信号Ｖerrとの大小関係も周期的に変わるので、コンパレータ３３から出力される信号Ｖconも高周波信号となる。
【００４０】
オペアンプ３１からの誤差検出信号Ｖerrが大きくなるとコンパレータ３３から信号Ｖconが出力される期間が短くなるので、コンパレータ３３から出力される高周波信号Ｖconのデューティ比が小さくなる。オペアンプ３１からの誤差検出信号Ｖerrが小さくなるとコンパレータ３３から信号Ｖconが出力される期間が長くなるので、コンパレータ３３から出力される高周波信号Ｖconのデューティ比が大きくなる。
【００４１】
ＰＷＭ信号生成部３０はＰＷＭ信号を生成し、生成されたＰＷＭ信号が駆動回路３４に入力される。ＰＷＭ信号とは、信号が出力されるオン期間と、信号が出力されないオフ期間とを交互に繰り返す矩形波信号である。ＰＷＭ信号生成部３０は、ＰＷＭ信号のデューティ比を任意に設定できる。ＰＷＭ信号生成部３０は、例えばＣＰＵ５の一部の回路で構成される。
【００４２】
駆動回路３４には、ＰＷＭ信号生成部３０からのＰＷＭ信号と、コンパレータ３３からの高周波信号Ｖconとが入力される。駆動回路３４は、入力されるＰＷＭ信号のオン期間にのみ作動し、このオン期間にのみコンパレータ３３からの高周波信号をスイッチング素子２３へ伝達する。駆動回路３４は、ＰＷＭ信号のオフ期間にのみ作動を停止し、コンパレータ３３からの信号をスイッチング素子２３へ伝達させない。これにより、ＰＷＭ信号のオン期間にのみコンパレータ３３からの高周波信号のパルス幅に対応する時間でスイッチング素子２３がオン／オフされ、ＰＷＭ信号のオフ期間にはスイッチング素子２３は常時オフ状態のままとなる。
【００４３】
調光回路１４では、ＰＷＭ信号のオン期間において、フィードバック電圧Ｖfbが低下すると誤差検出信号Ｖerrも小さくなるので、コンパレータ３３から出力される高周波信号のデューティ比が大きくなる。これにより、スイッチング素子２３かオン状態となる時間が長くなるため、フィードバック電圧Ｖfbが大きくなるように制御される。一方、フィードバック電圧Ｖfbが上昇すると誤差検出信号Ｖerrも大きくなるので、コンパレータ３３から出力される高周波信号のデューティ比が小さくなる。これにより、スイッチング素子２３かオン状態となる時間が短くため、フィードバック電圧Ｖfbが小さくなるように制御される。すなわち、調光回路１４においては、ＰＷＭ信号のオン期間においてフィードバック電圧Ｖfbが一定値に保たれるように制御される。
【００４４】
電圧調光信号生成部３５は直流電圧を生成する。生成された直流電圧は、抵抗器３６を介して、オペアンプ３１の入力端子と抵抗器２８とを接続する導線に印加される。オペアンプ３１の抵抗は無限大であるので、印加された直流電圧により発生する直流電流は全て、抵抗器２８を介して出力端子２６のフィードバック側に流れていく。電圧調光信号生成部３４は、この直流電圧の大きさを任意に変更できる。電圧調光信号生成部３４は、例えばＣＰＵ５の一部の回路で構成される。
【００４５】
本実施の形態に係るＰＷＭ調光方式によるバックライト１５の輝度の調整は、ＰＷＭ信号生成部３０がＰＷＭ信号のデューティ比を変更することによりなされる。例えば、ＰＷＭ信号のデューティ比が小さくなると駆動回路３４が作動する時間が短くなるので、スイッチング素子２３がオン状態になる時間も短くなる。これより、バックライト１５に出力電圧Ｖoutが印加される時間も短くなるのでバックライト１５の輝度が低下する。これとは逆に、ＰＷＭ信号のデューティ比が大きくなると駆動回路が作動する時間が長くなるので、スイッチング素子２３がオン状態になる時間も長くなる。これより、バックライト１５に電圧が印加される時間も長くなるのでバックライト１５の輝度が増大する。
【００４６】
本実施の形態に係る電圧調光方式によるバックライト１５の輝度の調整は、電圧調光信号生成部３４が印加する直流電圧を変更させることによりなされる。例えば、電圧調光信号生成部３５がオペアンプ３１の入力端子と抵抗器２８とを接続する導線に印加する直流電圧を増大させると、フィードバック電圧Ｖfbが一定値に保たれていることにより、抵抗器３６と抵抗器２８での電圧降下が上昇した分だけバックライト１５にかかる電圧が減少する。これにより、出力電流Ｉoutが減少するのでバックライト１５の輝度が低下する。これとは逆に、電圧調光信号生成部３４が印加する直流電圧を低下させると、フィードバック電圧Ｖfbが一定値に保たれていることにより、抵抗器３６と抵抗器２８での電圧降下が低下した分だけバックライト１５にかかる電圧が増加する。これにより、出力電流Ｉoutが減少するのでバックライト１５の輝度の輝度が増大する。
【００４７】
図３は、本実施の形態におけるＰＷＭ信号のデューティ比とバックライト１５の輝度との対応関係を示したグラフである。図３において、横軸はＰＷＭ信号のデューティ比を示し、縦軸はバックライト１５の輝度を示している。そして、図３には、バックライトに流れる出力電流Ｉoutが５（ｍＡ）の場合のグラフ４１、出力電流Ｉoutが４（ｍＡ）の場合のグラフ４２、出力電流Ｉoutが３（ｍＡ）の場合のグラフ４３が示されている。
【００４８】
＜デジタルカメラの動作＞
図４は、デジタルカメラ１００の本実施の形態に係る動作の手順を示すフローチャートである。ＣＰＵ５は、フラッシュメモリ６から読み出したプログラムとの協働により、図４のフローチャートに示される各処理を実行する。
【００４９】
ユーザによる電源キーの操作に応答して、電源回路１１からの電源電圧がデジタルカメラ１００の各部に供給されると、ＣＰＵ５は、静止画撮影モードを自動的に設定する（ステップＳＡ１）。静止画撮影モードとは、ユーザによるシャッタキーの全押し操作に応答して、この全押し操作がなされたときに撮影された静止画１枚分の画像データ（静止画データ）を記録するための動作モードである。なお、静止画撮影モードが設定されているときには、ＣＰＵ５は、音声処理回路１０の作動を停止させることにより音声データを記録させないようにする。
【００５０】
電源回路１１からの電源電圧がデジタルカメラ１００の各部に供給されたことにより、調光回路１４の入力端子２１にも入力電圧Ｖinが印加され入力電流Ｉoutが流れる。ステップＳＡ１の処理の時点では、ＰＷＭ信号生成部３０から出力されるＰＷＭ信号のデューティ比は１００％になっているため、スイッチング素子２３は常にオン状態になっている。このため、調光回路１４の電源出力端２６に出力電圧Ｖoutが印加されてバックライト１５に出力電流Ｉoutが常時流れる。これにより、バックライト１５が点灯して、液晶ディスプレイ１３が照射される。
【００５１】
ステップＳＡ１の処理の時点では、電圧調光信号生成部３５は直流電圧を生成せず、バックライト１５に流れる出力電流Ｉoutは５（ｍＡ）である。すると、図３に示されるように、この時点におけるバックライト１５の輝度は５０００（ｃｄ／ｍ2）となる。以下、この時点における調光回路１４とバックライト１５の状態を初期状態とする。
【００５２】
次にＣＰＵ５は、画像処理回路４にＣＣＤ３が被写体の光像を光電変化することにより出力した撮像信号から画像データを順次生成させた後、この順次生成された画像データをＤＲＡＭ７に格納する。次にＣＰＵ５は、ＬＣＤ駆動回路１２を駆動させることにより、ＤＲＡＭ７に格納された画像データにより表現される画像を、液晶ディスプレイ１３上にライブビュー画像として順次表示させる処理を開始する（ステップＳＡ２）。
【００５３】
次にＣＰＵ５は、ユーザによる動画撮影モードの設定がなされたか否かを判断すべく待機状態になる（ステップＳＡ３）。この判断は、ＣＰＵ５が、動画撮影モード設定キーが操作されたことを検知することによりなされる。本実施の形態に係る動画撮影モードとは、所定時間において撮影された被写体像を表現するための画像データと、所定時間において捉えられた音声を再現するための音声データとを対応させた動画データを記録するための動作モードである。
【００５４】
ステップＳＡ３においてＣＰＵ５は、動画撮影モード設定キーが操作されたことを検知しない場合（ステップＳＡ３；ＮＯ）、ステップＳＡ８へと処理を進める。一方、ユーザにより動画撮影モード設定キーが操作されると、ＣＰＵ５は、動画撮影モード設定キーの操作に応じた信号を検知することにより、動画撮影モードを設定する操作がなされたと判断した後（ステップＳＡ３；ＹＥＳ）、動画撮影モードを設定して（ステップＳＡ４）、ステップＳＡ５へと処理を進める。
【００５５】
ステップＳＡ５においてＣＰＵ５は、ユーザによりキーブロック９に対する撮影シーンを選択するための操作がなされたか否かを判断すべく待機状態になる。ＣＰＵ５は、ユーザにより撮影シーンを選択するための操作がなされたことを検知しない場合（ステップＳＡ５；ＮＯ）、ステップＳＡ７（動画撮影処理）へと処理を進める。一方、ユーザにより撮影シーンを選択するための操作がなされると、ＣＰＵ５は、この操作に応じた信号を検知することにより撮影シーンを選択するための操作がなされたと判断し（ステップＳＡ５；ＹＥＳ）、ステップＳＡ６へと処理を進める。
【００５６】
ここで、撮影シーンを選択するためのユーザの操作について説明する。ステップＳＡ５において、ユーザが撮影シーン設定キーを操作すると、ＣＰＵ５は、複数の撮影シーンに対応するサンプル画像データをフラッシュメモリ６から読み出して、読み出されたサンプル画像データにより表現されるサンプル画像を液晶ディスプレイ１３上に表示させる。次にＣＰＵ５は、ユーザのキーブロック９の操作による撮影シーン（サンプル画像）の選択指示を受け付ける状態となる。この状態において、ユーザが十字キーやＳＥＴキーを操作して撮影シーン（サンプル画像）を選択すると、キーブロック９からＣＰＵ５に対して選択された撮影シーンに応じた信号が送られる。このとき、選択された撮影シーンに対応するシーン番号情報がＤＲＡＭ７に書き込まれる。
【００５７】
ステップＳＡ６においてＣＰＵ５は、フラッシュメモリ６に予め記録されている各撮影シーンに対応する各撮影条件情報（シャッタ速度やＩＳＯ感度などの情報）に従って、ユーザの操作により選択された撮影シーンに対応する各撮影条件を自動的に設定し、ステップＳＡ７へと処理を進める。
【００５８】
ステップＳＡ７においてＣＰＵ５は、動画撮影処理を実行する。動画撮影処理の説明は後述する。ＣＰＵ５は、動画撮影処理を実行した後、図４のフローチャートに示される動作を終了させる。
【００５９】
次に、ステップＳＡ８以降の各処理について説明する。ステップＳＡ８においてＣＰＵ５は、ユーザによりキーブロック９に対する撮影シーンを選択するための操作がなされたか否かを判断すべく待機状態になる（ステップＳＡ８）。ＣＰＵ５はユーザにより撮影シーンを選択するための操作がなされたことを検知しない場合（ステップＳＡ８；ＮＯ）、ステップＳＡ１０（静止画撮影処理）へと処理を進める。一方、ユーザにより撮影シーンを選択するための操作がなされると、ＣＰＵ５は、この操作に応じた信号を検知することにより撮影シーンを選択するための操作がなされたと判断し、ステップＳＡ９へと処理を進める。ステップＳＡ８における撮影シーンを選択するための操作は、上記と同様であるため説明を省略する。
【００６０】
ステップＳＡ９において、ＣＰＵ５は、フラッシュメモリ６に予め記録されている各撮影シーンに対応する撮影条件情報（シャッタ速度やＩＳＯ感度などの情報）に従って、ユーザの操作により選択された撮影シーンに対応する各撮影条件を自動的に設定し、ステップＳＡ１０へと処理を進める。
【００６１】
ステップＳＡ１０においてＣＰＵ５は、静止画撮影処理を実行する。静止画撮影処理の説明は後述する。ＣＰＵ５は、静止画撮影処理を実行した後、図４のフローチャートに示される動作を終了させる。
【００６２】
図５は、デジタルカメラ１００の本実施の形態に係る動画撮影処理（図４のステップＳＡ７の処理）の手順をフローチャートである。図５を参照して、動画撮影処理の詳細を説明する。
【００６３】
まずＣＰＵ５は、ＰＷＭ調光方式による調光回路１４の制御を禁止する（ステップＳＢ１）。具体的に、ＰＷＭ制御部３０は、動画撮影モードが設定されている間はＰＷＭ信号のデューティ比を常時１００％に固定的に設定しておくことにより、ＰＷＭ調光方式による調光回路１４の制御を禁止する。
【００６４】
次にＣＰＵ５は、現在選択されている撮影シーンが「夜景」シーンであるか否かを判断する（ステップＳＢ２）。この判断は、ＣＰＵ５が、ＤＲＡＭ７に現在書き込まれているシーン番号情報を確認することによりなされる。ＣＰＵ５は、現在選択されている撮影シーンが「夜景」シーンでないと判断した場合（ステップＳＢ２；ＮＯ）、ステップＳＢ４へと処理を進める。一方、ＣＰＵ５は、現在選択されている撮影シーンが「夜景」シーンであると判断した場合（ステップＳＢ２；ＹＥＳ）、ステップＳＢ３へと処理を進める。
【００６５】
ステップＳＢ３においてＣＰＵ５は、電圧調光方式により調光回路１４を制御する。具体的に、電圧調光信号生成部３５は、バックライト１５を流れる出力電流Ｉoutが３（ｍＡ）になるように、オペアンプ３１の入力端子と抵抗器２８とを接続する導線に直流電圧を印加する。この場合においても、ＰＷＭ信号のデューティ比は１００％のままに維持されている。これにより、初期状態において５（ｍＡ）であった出力電流Ｉoutが３（ｍＡ）に減少するので、図３に示されるように、初期状態において５０００（ｃｄ／ｍ2）であったバックライト１５の輝度が３０００（ｃｄ／ｍ2）に低下する。
【００６６】
ステップＳＢ３の処理においては、電圧調光方式のみにより調光回路１４が制御され、ＰＷＭ調光方式による調光回路１４の制御は禁止されているので、ＰＷＭ調光方式による調光回路１４の制御を要因とした鳴り音が発生することを防止できる。
【００６７】
ステップＳＢ４においてＣＰＵ５は、ユーザによりシャッタキーが全押しされたか否かを判断すべく待機状態になる。ＣＰＵ５は、シャッタキーの全押しされたことを検知しない場合（ステップＳＢ４；ＮＯ）、図４のステップＳＡ３へと処理を戻す。一方、ユーザによりシャッタキーが全押しされると、ＣＰＵ５は、この全押し操作に応じた信号を検知することにより、シャッタキーが半押しされたと判断し（ステップＳＢ４；ＹＥＳ）、ステップＳＢ５へと処理を進める。
【００６８】
ステップＳＢ５においてＣＰＵ５は、撮影処理と音声記録処理とを同時に実行する。撮影処理に際して、ＣＰＵ５はＣＣＤ３に制御信号を送る。ＣＣＤ３は、この制御信号に応答して、１５（ｆｐｓ）のフレームレートで被写体の光像を撮影（光電変換）して撮像信号を生成するように駆動する。そして、ＣＰＵ５は、画像処理回路４により各種画像処理とＭＰＥＧ方式による圧縮処理とが施された画像データをＤＲＡＭ７の画像エリアに格納する。この画像エリアには、１５フレーム分（１秒分）の圧縮後の画像データを格納できる画像ブロックが複数形成されている。各画像ブロックには係数が付与されている。圧縮後の画像データは、各画像ブロックに１５フレームずつ区分けされて格納される。
【００６９】
また、音声処理に際して、ＣＰＵ５は音声処理回路１０に制御信号を送る。音声処理回路１０は、この制御信号に応答して、音声マイク１６によって捉えられた音声信号にＡ／Ｄ変換等の信号処理を施すことにより音声データを生成する。音声データの生成処理は１／１５秒毎になされるので、１回の生成処理により生成される音声データは、１／１５秒分の音声に対応する音声データである。ＣＰＵ５は、音声処理回路１０により生成された音声データをＤＲＡＭ７の音声エリアに格納する。この音声エリアには、１秒分の音声データを格納できる音声ブロックが形成されている。各音声ブロックには係数が付与されている。音声データは、この音声ブロックに１秒分ずつのデータに区分けされて格納される。
【００７０】
ＣＰＵ５は、１５フレーム分の圧縮後の画像データおよび１秒分の音声データがＤＲＡＭ７に格納される毎に、画像ヘッダデータおよび音声ヘッダデータを作成し、これらのヘッダデータをＤＲＡＭ７のヘッダブロックに書き込む。なお、互いに対応する画像ヘッダデータおよび音声ヘッダデータは、同じヘッダブロックに書き込まれる。このようにして書き込み処理が実行されることで、互いに対応する圧縮後の画像データ，音声データおよびヘッダデータは、同じ係数を持つ画像ブロック、音声ブロックおよびヘッダブロックにそれぞれ書き込まれる。
【００７１】
次にＣＰＵ５は、ユーザによるシャッタキーが全押しされたか否かを判断すべく再び待機状態になる（ステップＳＢ６）。ＣＰＵ５は、シャッタキーが再び全押しされたことを検知しない場合（ステップＳＢ６；ＮＯ）、ステップＳＢ７へと処理を進める。一方、ステップＳＢ６においてユーザによりシャッタキーが再び全押しされると、ＣＰＵ５は、この全押し操作に応じた信号を検知することによりシャッタキーが再び全押しされたと判断し（ステップＳＢ６；ＹＥＳ）、ステップＳＢ８へと処理を進める。
【００７２】
ステップＳＢ７においてＣＰＵ５は、撮影処理（音声記録処理）が開始されてから３０秒経過したか否かを判断する。この判断は、ＣＰＵ５が有するＲＴＣ（Real Time Clock）機能によりなされる。ＣＰＵ５は、撮影処理（音声記録処理）が開始されてから３０秒経過していないと判断した場合（ステップＳＢ７；ＮＯ）、ステップＳＢ５へと処理を戻し、撮影処理と音声記録処理とを継続させる。一方、ステップＳＢ７においてＣＰＵ５は、撮影処理・音声記録処理が開始されてから３０秒経過したと判断すると（ステップＳ６；ＹＥＳ）、ステップＳＢ８へと処理を進める。
【００７３】
ステップＳＢ８においてＣＰＵ５は、ＤＲＡＭ７に格納されたデータを読み出して、読み出されたデータを動画データとしてメモリカード８に記録させる（ステップＳＢ８）。具体的に、ＣＰＵ５は、ＤＲＡＭ７において同じ係数を持つ音声ブロック、画像ブロック、ヘッダブロックから、音声ヘッダデータ、音声データ、画像ヘッダデータ、画像データの順でデータを読み出す。この読み出し処理に際しては、まずヘッダブロックから音声ヘッダデータが読み出され、音声ブロックから１秒分の音声データが読み出される。次に、ヘッダブロックから画像ヘッダデータが読み出され、画像ブロックから１５フレーム分の圧縮後の画像データが読み出される。ＣＰＵ５は、このような読み出し処理により読みだされた音声データと画像データとを対応付けた動画データをメモリカード８に記録させる。以上で、動画撮影処理が終了する。
【００７４】
図６は、デジタルカメラ１００の本実施の形態に係る静止画撮影処理（図４のステップＳＡ１０の処理）の手順を示すフローチャートである。図６を参照して、静止画撮影処理の詳細を説明する。
【００７５】
まずＣＰＵ５は、現在選択されている撮影シーンが「夜景」シーンであるか否かを判断する（ステップＳＣ１）。この判断は、ＣＰＵ５が、ＤＲＡＭ７に現在書き込まれているシーン番号情報を確認することによりなされる。ＣＰＵ５は、現在選択されている撮影シーンが「夜景」シーンでないと判断した場合（ステップＳＣ１；ＮＯ）、ステップＳＣ３へと処理を進める。一方、ＣＰＵ５は、現在選択されている撮影シーンが「夜景」シーンであると判断した場合、ステップＳＣ２へと処理を進める。
【００７６】
ステップＣＳ２においてＣＰＵ５は、ＰＷＭ調光方式と電圧調光方式とを併用した調光方式により調光回路１４を制御してバックライト１５の輝度を低下させる。具体的には、ＰＷＭ信号生成部３０は、初期状態において１００％であったＰＷＭ信号のデューティ比を５０％に低下させる。さらに、電圧調光信号生成部３５は、初期状態において５（ｍＡ）であった出力電流Ｉoutが３（ｍＡ）に減少するように、オペアンプ３１の入力端子と抵抗器２８とを接続する導線に直流電圧を印加する。これにより、図３に示されるように、初期状態において５０００（ｃｄ／ｍ2）であったバックライト１５の輝度が１５００（ｃｄ／ｍ2）に低下する。
【００７７】
ステップＣＳ２の処理においては、ＰＷＭ調光方式と電圧調光方式とを併用した調光方式により調光回路１４を制御するので、バックライト１５の輝度を、電圧調光方式のみによる調光範囲において下限となるバックライト１５の輝度よりもさらに低下させることができる。
【００７８】
ステップＳＣ３においてＣＰＵ５は、ユーザによりシャッタキーが半押しされたか否かを判断すべく待機状態になる。ＣＰＵ５は、シャッタキーが半押しされたことを検知しない場合（ステップＳＣ３；ＮＯ）、図４のステップＳＡ３へと処理を戻す。一方、ユーザによりシャッタキーが半押しされると、ＣＰＵ５は、この半押し操作に応じた信号を検知することにより、シャッタキーが半押しされたと判断する（ステップＳＣ３；ＹＥＳ）。
【００７９】
すると、ＣＰＵ５は、直ちにＣＣＤ３の撮影範囲内における中央領域のフォーカスエリアを対象としたピント合わせを実行するとともに、通常のＡＥ制御（いわゆるプログラムＡＥ制御）によりＩＳＯ感度とシャッタ速度とを設定する（ステップＳＣ４）。
【００８０】
次にＣＰＵ５は、ユーザによりシャッタキーが全押しされたか否かを判断すべく待機状態になる（ステップＳＣ５）。ＣＰＵ５は、シャッタキーが全押しされたことを検知しない場合（ステップＳＣ５；ＮＯ）、ステップＳＣ３へと処理を戻す。一方、ユーザによりシャッタキーが全押しされると、ＣＰＵ５は、この全押し操作に応じた信号を検知することによりシャッタキーが全押しされたと判断する（ステップＳＣ５；ＹＥＳ）。
【００８１】
すると、ＣＰＵ５は、直ちに撮影処理を実行する（ステップＳＣ６）。具体的に、ＣＰＵ５がシャッタ速度により規定される露光時間だけ絞り兼用シャッタ２を開放させることにより、ＣＣＤ３が被写体の光像を撮影（光電変換）して撮像信号を生成する。ＣＰＵ５は、露光時間が経過した後に絞り兼用シャッタ２を閉駆動させる。このときＣＣＤ３により生成された撮像信号は画像処理回路４に送られる。そして、ＣＰＵ５は、画像処理部４に対し、この撮像信号に対し画像処理を施して静止画１枚分の画像データ（静止画データ）を生成させ、生成された画像データをＪＰＥＧ方式で圧縮させる。
【００８２】
引き続き、ＣＰＵ５は、圧縮された画像データ（静止画データ）をメモリカード８に記録させて（ステップＳＣ７）、静止画撮影処理を終了させる。
【００８３】
以上説明したように、本実施の形態に係る動画撮影処理においては画像データのみならず音声データも記録される。そこで、本実施の形態では、動画撮影モードが設定されているときには、ＰＷＭ調光方式により調光回路１４を制御することを禁止させるようにした。このようにすれば、ＰＷＭ調光方式による調光回路１４の制御を要因とした鳴き音が発生することを抑止できるので、動画撮影処理においてこの鳴き音を再現する音声データまでもが記録されてしまう事態を回避できる。そのため、本実施の形態では、ＰＷＭ調光方式による調光回路の制御を要因とする鳴り音の悪影響を抑えることができる。
【００８４】
また、本実施の形態においては、静止画撮影モードが設定されているとき、ＰＷＭ調光方式と電圧調光方式とを併用した調光方式により調光回路１４を制御するようにした。これにより、静止画撮影処理においては、電圧調光方式のみによる調光範囲よりも大きい調光範囲を確保できる。
【００８５】
また、本実施の形態においては、ＰＷＭ調光方式と電圧調光方式とを併用した調光方式により調光回路１４を制御がなされるのは、静止画撮影モードが設定されているときのみである。そして、本実施の形態に係る静止画撮影処理では音声データは記録されない。そのため、本実施の形態に係る静止画撮影処理においては、ＰＷＭ調光方式による調光回路の制御を要因とする鳴り音が問題とならない。
【００８６】
また、本実施の形態においては、選択された撮影シーンが夜景シーンである場合に、バックライト１５の輝度を自動的に低下させるように調光回路１４を制御するようにした。夜景シーンが選択される撮影環境はユーザの周囲が暗い環境（夜など）であると考えられるので、夜景シーンが選択される時間帯ではバックライト１５の輝度を高くしなくとも、ユーザは液晶ディスプレイ１３に表示される画像等を確認できる。一方、バックライト１５の輝度を低下させるようにすればバックライト１５の点灯に必要となる電力を低減させることができる。そのため、本実施の形態においては、液晶ディスプレイ１３に表示される画像等の視認性を確保しつつ、バックライト１５の点灯に必要となる電力を低減させることができる。
【００８７】
＜変形例＞
本実施の形態は、以下の変形例を採用することもできる。
【００８８】
本実施の形態においては、画像データと音声データとを対応させた動画データを記録する動画撮影モードが設定されているときに、ＰＷＭ調光方式により調光回路１４を制御することを禁止させるようにした。しかし、例えば、音声データのみを記録するボイスメモモードが設定されているときに、ＰＷＭ調光方式により調光回路１４を制御することを禁止させるようにしてもよい。要は、いかなる動作モードであれ、音声データを記録する動作モードが設定されているときであれば、ＰＷＭ調光方式により調光回路１４を制御することを禁止させるようにしてよい。この場合でも、ボイスメモモード等に係る処理おいて、ＰＷＭ調光方式による調光回路１４の制御を要因とした鳴き音を再現する音声データまでもが記録されてしまう事態を回避できる。
【００８９】
本実施の形態においては、静止画撮影モードが設定されているとき、ＰＷＭ調光方式と電圧調光方式とを併用した調光方式により調光回路１４を制御するようにした。しかし、静止画撮影モードが設定されているときでなく、複数の画像データのみを時間的に連続して記録する連写撮影モードが設定されているときや、記録された画像データにより表現される画像を表示させる再生モードが設定されているときに、ＰＷＭ調光方式と電圧調光方式とを併用した調光方式により調光回路１４を制御するようにしてもよい。要は、いかなる動作モードであれ、音声データを記録しない動作モードが設定されているときであれば、ＰＷＭ調光方式と電圧調光方式とを併用した調光方式により調光回路１４を制御するようにしてよい。
【００９０】
本実施の形態においては、静止画撮影モードが設定されているとき、ＰＷＭ調光方式と電圧調光方式とを併用した調光方式により調光回路１４を制御するようにした。しかし、静止画撮影モードが設定されているとき、ＰＷＭ調光方式と電圧調光方式のいずれか一方の調光方式にのみより調光回路１４を制御するようにしてもよい。
【００９１】
撮影シーンはユーザの操作に基づき手動で選択されるものでなく、ＣＰＵ５が撮影シーンを自動的に選択するようにしてもよい。撮影シーンを自動的に選択する手法としては、例えば、特開２００１−０７５１４１号公報に記載の技術を適用すればよい。
【００９２】
本実施の形態においては、選択された撮影シーンが「夜景」シーンである場合に、バックライト１５の輝度を自動的に低下させるように調光回路１４を制御するようにした。しかし、デジタルカメラ１００が照度センサを備えるように構成し、この照度センサにより検出された照度が所定の閾値を下回った場合に、ＣＰＵ５がバックライト１５の輝度を自動的に低下させるように調光回路１４を制御するようにしてもよい。照度センサにより検出された照度が小さい場合にもユーザの周囲が暗い環境（夜など）であると考えられるので、この場合にもバックライト１５の輝度を高くしなくとも、ユーザは液晶ディスプレイ１３に表示される画像等を確認できる。一方、バックライト１５の輝度を低下させるようにすればバックライト１５の点灯に必要となる電力を低減させることができる。そのため、かかる変形例においても、液晶ディスプレイ１３に表示される画像等の視認性を確保しつつ、バックライト１５の点灯に必要となる電力を低減させることができる。
【００９３】
上記各実施形態及び各変形例では、本発明をデジタルカメラに適用した場合について説明した。しかし、本発明は、表示画面のバックライトの輝度を調整する装置であって音声を記録する動作モードを設定可能な装置であれば、例えば、デジタルビデオカメラ、カメラ付き携帯電話端末等の他の装置にも適用することができる。
【００９４】
本実施の形態は、上記の各変形例を任意に組み合わせて採用することも可能である。
【００９５】
本実施の形態は本発明の単なる例に過ぎず、本発明を限定する趣旨のものではない。したがって、本実施の形態に対してなされ得る多種多様な変形はすべて本発明に含まれるものである。
【図面の簡単な説明】
【００９６】
【図１】デジタルカメラの電気的構成を示すブロック図である。
【図２】調光回路の回路図である。
【図３】本実施の形態におけるＰＷＭ信号のデューティ比とバックライト１５の輝度との対応関係を示したグラフである。
【図４】デジタルカメラの動作の手順を示すフローチャートである。
【図５】動画撮影処理の手順を示すフローチャートである。
【図６】静止画撮影処理の手順を示すフローチャートである。
【符号の説明】
【００９７】
１００  デジタルカメラ
１      光学レンズ装置
２      絞り兼用シャッタ
３      ＣＣＤ
４      画像処理回路
５      ＣＰＵ
６      フラッシュメモリ
７      ＤＲＡＭ
８      メモリカード
９      キーブロック
１０    音声処理回路
１１    電源回路
１２    ＬＣＤ駆動回路
１３    液晶ディスプレイ
１４    調光回路
１５    バックライト
１６    音声マイク
１７    システムバス
【図１】
2010141459.tif 000003
【図２】
2010141459.tif 000004
【図３】
2010141459.tif 000005
【図４】
2010141459.tif 000006
【図５】
2010141459.tif 000007
【図６】
2010141459.tif 000008